(57)【要約】【課題】  使用者が所望しない態様で受信した放送等が記録されてしまうことを回避することが可能な情報記録装置等を提供する。【解決手段】  ＭＤに記録すべき音楽情報に対して記録用の信号処理を施して音楽情報Ｓraを生成するマルチチャンネル処理部１と、生成された音楽情報Ｓraを記録する前に当該音楽情報Ｓraを出力するアンプＡ１、Ａ２、Ａ３、…と、出力後に音楽情報ＳraのＭＤへの記録を実際に開始する場合に当該開始する旨を指示するために用いられる操作部５と、を備える。【選択図】  図１
2005196816.tif 000002
【特許請求の範囲】
【請求項１】
記録媒体に記録すべき原情報に対して記録用の信号処理を施し、記録情報を生成する生成手段と、
前記生成された記録情報を前記記録媒体に記録する前に当該記録情報を出力する出力手段と、
前記出力後に前記記録情報の前記記録媒体への記録を実際に開始する場合に当該開始する旨を指示するために用いられる指示手段と、
を備えることを特徴とする情報記録装置。
【請求項２】
請求項１に記載の情報記録装置において、
前記原情報が画像情報であると共に、
前記出力手段は前記生成された記録情報を表示する表示手段であることを特徴とする情報記録装置。
【請求項３】
請求項１に記載の情報記録装置において、
前記原情報が音情報であると共に、
前記出力手段は前記生成された記録情報を放音するスピーカ手段であることを特徴とする情報記録装置。
【請求項４】
請求項３に記載の情報記録装置において、
前記生成手段は、三以上のチャンネル分の音情報を含む前記原情報から二チャンネル分の音情報を含む前記記録情報を生成することを特徴とする情報記録装置。
【請求項５】
請求項１から４のいずれか一項に記載の情報記録装置において、
前記原情報を出力する原情報出力手段を更に備え、
前記出力手段は、前記生成された記録情報の出力を開始するとき、前記原情報の出力に代えて当該記録情報を出力することを特徴とする情報記録装置。
【請求項６】
記録媒体に記録すべき原情報に対して記録用の信号処理を施し、記録情報を生成する生成工程と、
前記生成された記録情報を前記記録媒体に記録する前に当該記録情報を出力する出力工程と、
前記出力後に前記記録情報の前記記録媒体への記録を実際に開始する場合に当該開始する旨を指示する指示工程と、
を備えることを特徴とする情報記録方法。
【請求項７】
記録媒体に記録すべき原情報から記録情報を生成し、当該記録情報を前記記録媒体に記録する情報記録装置に含まれるコンピュータを、
前記原情報に対して記録用の信号処理を施し、前記記録情報を生成する生成手段、
前記生成された記録情報を前記記録媒体に記録する前に当該記録情報を出力する出力手段、及び、
前記出力後に前記記録情報の前記記録媒体への記録を実際に開始する場合に当該開始する旨を指示するために用いられる指示手段、
として機能させることを特徴とする情報記録用プログラム。
【請求項８】
請求項７に記載の情報記録用プログラムが前記コンピュータで読取可能に記録された情報記録媒体。
【発明の詳細な説明】
【技術分野】
【０００１】
本願は、情報記録装置、情報記録方法及び情報記録用プログラム並びに情報記録媒体の技術分野に属し、より詳細には、外部から取得した原情報を記録用の記録情報に変換して記録する情報記録装置及び情報記録方法並びに当該情報記録処理に供される情報記録用プログラム及び当該情報記録用プログラムを記録した情報記録媒体の技術分野に属する。
【背景技術】
【０００２】
近年、例えば放送電波を介して送信されてくる音楽情報を受信して、例えばハードディスクや光ディスク等に記録するレコーダ等の情報記録装置が一般化しつつある。
【０００３】
一方、最近放送が開始されたいわゆる地上デジタル放送では、従来の左右二チャンネル分の音楽情報を含む放送の他に、三チャンネル分以上の音楽情報を含む放送も開始されており、典型的にはいわゆる５．１チャンネルサラウンド用の六チャンネル分の音楽情報を含む放送も開始されている。
【０００４】
ここで、上述した如き三チャンネル分以上の音楽情報を含む放送を受信しても、その受信後に上記光ディスク等に記録して更にこれを再生する場合において、その再生用のプレーヤやスピーカシステムが二チャンネル分の音楽情報にしか対応していない従来のものであるとき、その受信・記録時に予め二チャンネル分の音楽情報に変換して（すなわち、いわゆるダウンコンバート処理を施して）記録しておけば、その記録後の再生時においては更なるチャネル変換処理等が必要ないので、結果として音質をある程度高い状態に維持しつつ記録しその後に二チャンネルで再生することが可能となる。
【発明の開示】
【発明が解決しようとする課題】
【０００５】
他方、このようなダウンコンバート処理を規定の処理として設定してしまった場合であって、今度は使用者が上述した如き三チャンネル分以上の音楽情報を含む放送をそのチャンネル数のまま記録して再生することを望んだとき、使用者本人は元のチャンネル数のまま記録しているつもりが、予期しない状態（すなわち二チャンネルの状態）で記録処理が行われていまい、その記録完了後にその事実が判明してしまうと言う問題点があった。
【０００６】
そしてこの問題点は、例えば光ディスク等が一回のみ情報を記録することが可能な記録媒体であった場合はその光ディスク等が無駄になってしまうという問題点に繋がるし、また、その放送が再放送されない場合は、音質が悪いままその放送が記録されてしまうことで最早、元の三チャンネル分以上の音楽情報を含む放送として記録しておくことが永遠に不可能になってしまうという問題点にも繋がるものである。
【０００７】
そこで、本願は上記の各問題点に鑑みて為されたもので、その課題の一例は、使用者が所望しない態様で受信した放送等が記録されてしまうことを回避することが可能な情報記録装置及び情報記録方法並びに当該情報記録処理に供される情報記録用プログラム及び当該情報記録用プログラムを記録した情報記録媒体を提供することにある。
【課題を解決するための手段】
【０００８】
上記の課題を解決するために、請求項１に記載の発明は、記録媒体に記録すべき原情報に対して記録用の信号処理を施し、記録情報を生成するマルチチャンネル処理部等の生成手段と、前記生成された記録情報を前記記録媒体に記録する前に当該記録情報を出力するアンプ等の出力手段と、前記出力後に前記記録情報の前記記録媒体への記録を実際に開始する場合に当該開始する旨を指示するために用いられる操作部等の指示手段と、を備える。
【０００９】
上記の課題を解決するために、請求項６に記載の発明は、記録媒体に記録すべき原情報に対して記録用の信号処理を施し、記録情報を生成する生成工程と、前記生成された記録情報を前記記録媒体に記録する前に当該記録情報を出力する出力工程と、前記出力後に前記記録情報の前記記録媒体への記録を実際に開始する場合に当該開始する旨を指示する指示工程と、を備える。
【００１０】
上記の課題を解決するために、請求項７に記載の発明は、記録媒体に記録すべき原情報から記録情報を生成し、当該記録情報を前記記録媒体に記録する情報記録装置に含まれるコンピュータを、前記原情報に対して記録用の信号処理を施し、前記記録情報を生成する生成手段、前記生成された記録情報を前記記録媒体に記録する前に当該記録情報を出力する出力手段、及び、前記出力後に前記記録情報の前記記録媒体への記録を実際に開始する場合に当該開始する旨を指示するために用いられる指示手段、として機能させる。
【００１１】
上記の課題を解決するために、請求項８に記載の発明は、請求項７に記載の情報記録用プログラムが前記コンピュータで読取可能に記録されている。
【発明を実施するための最良の形態】
【００１２】
次に、本願を実施するための最良の実施形態について、図面に基づいて説明する。なお、以下に説明する各実施形態は、放送電波を介して放送されて来る音楽情報又は画像情報等を受信して記録すると共にこれらを外部に出力する情報記録装置に対して本願を適用した場合の実施の形態である。
【００１３】
（Ｉ）第１実施形態
始めに、本願に係る第１実施形態について、図１及び図２を用いて説明する。なお、以下に説明する第１実施形態は、放送電波を介して放送されて来る音楽情報を受信して記録すると共に、これを外部に出力する情報記録装置に対して本願を適用した場合の実施の形態である。
【００１４】
また、図１は第１実施形態に係る情報記録装置の概要構成を示すブロック図であり、図２は当該情報記録装置における第１実施形態に係る記録動作を示すフローチャートである。更に、第1実施形態に係る情報記録装置においては、三チャンネル分以上の音楽情報を含んで受信された放送を録音する場合であっても、例えばいわゆるＭＤ（Mini Disc）を記録媒体とした録音の如く当該受信した各音楽情報を公知の方法により左右二チャンネル分の音楽情報に変換して記録するものとする。
【００１５】
図１に示すように、第１実施形態に係る情報記録装置１００は、放送受信機Ｐと、録音機Ｒと、切替処理部Ｓと、原情報出力手段及び出力手段としてのアンプＡ１、Ａ２、Ａ３、…と、各アンプＡ１、Ａ２、Ａ３、…に夫々対応して備えられたスピーカＳＰ１、ＳＰ２、ＳＰ３、…と、により構成されている。
【００１６】
また、上記切替処理部Ｓは、生成手段としてのマルチチャンネル処理部１と、メモリ２と、切替部３と、マイコン４と、指示手段としての操作部５と、により構成されている。
【００１７】
次に、全体の動作を説明する。
【００１８】
先ず、放送受信機Ｐは、放送電波を介して送信されて来る音楽情報を受信し、受信情報Ｓaを生成してマルチチャンネル処理部１へ出力する。このとき、当該受信情報Ｓaには、三チャンネル分以上の音楽情報（より具体的には、５．１チャンネル分（スピーカ六個分）の音楽情報）が含まれているものとする。
【００１９】
そして、マルチチャンネル処理部１は、マイコン４からの制御信号Ｓc1に基づいて、受信情報Ｓaに含まれている複数チャンネル分の音楽情報を相互に分離し、夫々音楽情報Ｓm1、Ｓm2、Ｓm3、…として夫々切替部３へ出力する。より具体的には、例えば元の受信情報Ｓaに５．１チャンネル分の音楽情報が含まれていた場合には、これらを六つの音楽情報Ｓm1乃至Ｓm6に分離して夫々別個に切替部３へ出力する。
【００２０】
これと並行してマルチチャンネル処理部１は、マイコン４からの制御信号Ｓc1に基づいて、受信した受信情報Ｓaに複数チャンネル分の音楽情報が含まれているときは、これら複数チャンネル分の音楽情報を用いてそれらに対応する左右二チャンネル分の音楽情報Ｓra（すなわち、録音機Ｒを用いたＭＤへの記録用の音楽情報Ｓra）を生成し、これを切替部３内の出力端子の一つに出力すると共に録音機Ｒへも出力する。
【００２１】
更にまた、これらと並行してマルチチャンネル処理部１は、マイコン４からの制御信号Ｓc1に基づいて、後述する第1実施形態に係る記録動作において、受信しつつある受信情報Ｓaをメモリ情報Ｓmとして一時的にメモリ２に蓄積記憶させる処理をも行う。
【００２２】
次に、切替部３は、マイコン４からの制御信号Ｓc3に基づいて、複数備えられたその入力端子に夫々別個に入力されてくる上記音楽情報Ｓm1、Ｓm2、Ｓm3、…を、対応するアンプＡ１、Ａ２、Ａ３、…に出力するように伝送経路を切り替えて出力する。
【００２３】
これにより、各アンプＡ１、Ａ２、Ａ３、…は、切替部３から夫々入力されてくる音楽情報Ｓm1、Ｓm2、Ｓm3、…に対して夫々別個に予め設定されている増幅処理等を施し、増幅音楽情報Ｓa1、Ｓa2、Ｓa3、…として夫々対応するスピーカＳＰ１、ＳＰ２、ＳＰ３、…に出力する。
【００２４】
そして、各スピーカＳＰ１、ＳＰ２、ＳＰ３、…は、当該入力されて来る増幅音楽情報Ｓa1、Ｓa2、Ｓa3、…に対応する音を夫々別個に空間に放音する。
【００２５】
一方、受信した受信情報Ｓaに含まれている音楽情報を録音機ＲにおいてＭＤに録音する場合、当該録音機Ｒは二チャンネル用の上記音楽情報ＳraをＭＤ上に録音するのであるが、このとき、録音機Ｒは、操作部５において録音指示のための操作が使用者により為されると、実際に録音を開始する前の待機状態である録音スタンバイ状態に自動的に移行すると共にその旨を示すスタンバイ情報Ｓrcを生成してマイコン４に出力する。
【００２６】
他方、第1実施形態に係る情報記録装置１００において実現されるべき動作の指定等の操作が操作部５において使用者により為されると、当該操作部５はこの操作に対応する操作信号Ｓopを生成してマイコン４へ出力する。そして、マイコン４は、当該操作信号Ｓopの内容に基づいて切替処理部Ｓ内の各構成部材を統括制御する。
【００２７】
次に、上述した構成を備える情報記録装置１００においてマイコン４を中心として実行される第１実施形態に係る情報記録処理について、具体的に図１及び図２を用いて説明する。
【００２８】
当該情報記録処理においては、初めに、放送受信機Ｐにより三チャンネル分以上の音楽情報を含む放送を受信中であり、更にその受信している放送に含まれている音楽情報Ｓm1、Ｓm2、Ｓm3、…をスピーカＳＰ１、ＳＰ２、ＳＰ３、…から出力中であるとする（ステップＳ１）。
【００２９】
次に、この状態においては、現在受信している放送に含まれており且つ出力中である音楽情報Ｓm1、Ｓm2、Ｓm3、…をＭＤに記録する旨の操作が操作部５において実行されることにより、当該操作に基づいて録音機Ｒから上記スタンバイ情報Ｓrcが送信されたか否かが常に監視されており（ステップＳ２）、そのスタンバイ情報Ｓrcが送信されないときは（ステップＳ２；ＮＯ）そのままそれまで実行していた放送電波の受信並びに音楽情報Ｓm1、Ｓm2、Ｓm3、…の出力を実行する。
【００３０】
一方、ステップＳ２の判定において、スタンバイ情報Ｓrcが送信されて来たときは（ステップＳ２；ＹＥＳ）、次に、スタンバイ情報Ｓrcが送信されて来たタイミングにおいて実行していた受信・出力処理（上記ステップＳ１参照）が、三チャンネル分以上の音楽情報Ｓm1、Ｓm2、Ｓm3、…を用いたものであったか否かを確認し（ステップＳ３）、三チャンネル分以上の音楽情報Ｓm1、Ｓm2、Ｓm3、…を用いたものでない、すなわち、二チャンネル分の音楽情報Ｓm1及びＳm2のみを用いた受信・出力処理であったときは（ステップＳ３；ＮＯ）そのまま後述するステップＳ７へ移行し、他方、ステップＳ３の判定においてこれまでに実行されていた受信・出力処理が三チャンネル分以上の音楽情報Ｓm1、Ｓm2、Ｓm3、…を用いたものであった場合は（ステップＳ３；ＹＥＳ）、アンプＡ１、Ａ２、Ａ３、…への出力を録音用の二チャンネル分の音楽情報を含む音楽情報Ｓraに切り替え、当該音楽情報Ｓraをいずれか左右一対のスピーカＳＰから放音することで、実際にＭＤに記録されることとなる音楽情報Ｓraを使用者に聴取させる（ステップＳ４）。また、このステップＳ４としての音楽情報の切替処理と並行して、上記スタンバイ情報Ｓrcが出力されて来るまでに受信・出力されていた音楽情報Ｓm1、Ｓm2、Ｓm3、…をメモリ信号Ｓmとしてメモリ２内に一時的に格納しておく（ステップＳ４）。
【００３１】
そして、二チャンネル分の上記音楽情報Ｓraを実際に聴取した使用者が、操作部５において当該録音処理の停止を意味する図示しない停止キーを操作したか否かが確認され（ステップＳ５）、その操作が為されたときは（ステップＳ５；ＹＥＳ）、録音を継続する意思が使用者にないことになるから、それまでの録音機Ｒにおける録音のスタンバイ状態を解除し（ステップＳ６）、上記ステップＳ１に戻る。
【００３２】
一方、操作部５において上記停止キーが未だ操作されないときは（ステップＳ５；ＮＯ）、今報恩されている二チャンネル分の音楽情報Ｓraの状態でＭＤに録音することが了解されたものと看做し、その音楽情報Ｓraを実際に録音機ＲにおいてＭＤに記録する（ステップＳ７）。
【００３３】
そして、ステップＳ７により録音が開始されたら、次に上記ステップＳ４の処理においてメモリ２内に一時的に格納されていた元の三チャンネル分以上の音楽情報Ｓm1、Ｓm2、Ｓm3、…の出力を、その三チャンネル分以上の音楽情報Ｓm1、Ｓm2、Ｓm3、…としての出力が上記ステップＳ４の処理により中断されたタイミングの内容から再開する（ステップＳ８）。
【００３４】
その後、第１実施形態に係る情報記録処理自体を終了する旨の操作が操作部５において実行されてか否かを確認し（ステップＳ９）、当該終了する旨の操作が為されたときは（ステップＳ９；ＹＥＳ）そのまま第１実施形態に係る情報記録処理を終了し、一方、当該終了する旨の操作が為されないときは（ステップＳ９；ＮＯ）、再度上記ステップＳ１の処理以降の図２に示す処理を繰り返して所望の音楽情報の出力を継続する。
【００３５】
以上説明したように、第１実施形態の情報記録装置１００の動作によれば、受信された音楽情報Ｓm1、Ｓm2、Ｓm3、…に基づいて記録用に生成された音楽情報Ｓraが実際の記録前に出力されることにより、当該音楽情報Ｓraの態様（この場合は二チャンネル分の音楽情報しか含まれていないこと）を記録前に確認することができ、その確認後に実際の記録を開始することで、使用者が所望しない態様で音楽情報Ｓm1、Ｓm2、Ｓm3、…が記録されてしまうことを回避することができる。
【００３６】
また、三以上のチャンネル分の音楽情報Ｓm1、Ｓm2、Ｓm3、…から生成された、二チャンネル分の音楽情報Ｓraを実際の記録前に聴取（視聴）してその態様を確認することができ、使用者が所望しない態様で音情報たる二チャンネルの記録情報が記録されてしまうことを回避することができる。
【００３７】
（II）第２実施形態
次に、本願に係る他の実施形態である第２実施形態について、図３乃至図４を用いて説明する。なお、図３は第３実施形態に係る情報記録装置の概要構成を示すブロック図であり、図４は当該情報記録装置における第２実施形態に係る記録動作を示すフローチャートである。
【００３８】
上述した第１実施形態は、放送電波を介して放送されて来る音楽情報を受信して記録すると共にこれを外部に出力する情報記録装置に対して本願を適用した場合の実施の形態であったが、以下に説明する第弐実施形態は、放送電波を介して放送されて来る画像情報（特に動画像情報）を受信して記録すると共に、これを外部に出力する情報記録装置に対して本願を適用した場合の実施の形態である。
【００３９】
図３に示すように、第２実施形態に係る情報記録装置２００は、第１放送受信機ＰＶ１と、第２放送受信機ＰＶ２と、録画機ＲＧと、切替処理部ＳＳと、液晶ディスプレイ等からなるモニタＭと、により構成されている。
【００４０】
また、上記切替処理部ＳＳは、第１切替部１０と、画像調整処理部１１と、メモリ１２と、第２切替部１３と、二画面処理部１４と、マイコン１５と、操作部１６と、により構成されている。
【００４１】
次に、全体の動作を説明する。
【００４２】
先ず、第１放送受信機ＰＶ1は、放送電波を介して送信されて来る画像情報を受信し、受信情報Ｓv1を生成して第1切替部１０へ出力する。これと並行して、第２放送受信機ＰＶ2は、放送電波を介して送信されて来る他の画像情報を受信し、受信情報Ｓv2を生成して同じく第1切替部１０へ出力する。
【００４３】
そして、第1切替部１０は、マイコン１５からの制御信号Ｓch1に基づいて、受信情報Ｓv1又は受信情報Ｓv2のうち実際に視聴が所望されている画像情報を含む受信情報を切替情報Ｓmgとして画像調整処理部１１へ出力すると共に、録画機ＲＧにおいてハードディスク等に記録されるべき受信情報に対して予め設定されている当該記録のための変換処理等を施し、記録情報Ｓrgとして録画機ＲＧに出力すると共に、第２切替部１３のいずれかの入力端子に出力する。このとき、上記記録情報Ｓrgとして具体的には、上記切替情報Ｓmgとして画像調整処理部１１へ出力される画像情報に対応する放送と同じ時間帯に放送されている他の放送に含まれている画像情報であってもよいし、或いは、上記切替情報Ｓmgとして画像調整処理部１１へ出力される画像情報自体を記録用に変換して得られる画像情報であってもよい。
【００４４】
次に、画像調整処理部１１は、公知の画質調整処理等を含む予め設定されている処理を上記切替情報Ｓmgに対して施し、処理情報Ｓcgとして第２切替部１３へ出力する。
【００４５】
これと並行して画像調整処理部１１は、後述する第２実施形態に係る記録動作において上記処理情報Ｓcgをメモリ情報Ｓmとして一時的にメモリ１２に蓄積記憶させる処理をも行う。
【００４６】
次に、第２切替部１３は、マイコン１５からの制御信号Ｓch2に基づいて、上記処理情報Ｓcgに対応する画像及び上記記録情報Ｓrgに対応する画像を二つの画面を用いてモニタＭ上に同時に表示させるべく、当該処理情報Ｓcg及び記録情報Ｓrgを夫々別個に二画面処理部１４へ出力する。
【００４７】
そして、二画面処理部１４は、マイコン１５からの制御信号Ｓch3に基づいて、例えば上記処理情報Ｓcgに含まれている画像をメイン画面としつつ上記記録情報Ｓrgに含まれている画像をサブ画面として含むような二画面画像をモニタＭに表示させるための表示情報Ｓmtを生成し、これをモニタＭに出力して上記二画面画像を表示させる。
【００４８】
一方、受信した受信情報Ｓv1又はＳv2に含まれている画像情報を録画機ＲＧにおいて録画する場合、当該録画機ＲＧは、操作部１６において録画指示のための操作が使用者により為されると、実際に録画を開始する前の待機状態である録画スタンバイ状態に自動的に移行すると共にその旨を示すスタンバイ情報Ｓrcを生成してマイコン１５に出力する。
【００４９】
他方、第２実施形態に係る情報記録装置２００において実現されるべき動作の指定等の操作が操作部１６において使用者により為されると、当該操作部１６はこの操作に対応する操作信号Ｓopを生成してマイコン４へ出力する。そして、マイコン４は、当該操作信号Ｓopの内容に基づいて切替処理部ＳＳ内の各構成部材を統括制御する。
【００５０】
次に、上述した構成を備える情報記録装置２００においてマイコン１５を中心として実行される第２実施形態に係る情報記録処理について、具体的に図３及び図４を用いて説明する。
【００５１】
当該情報記録処理においては、初めに、第1放送受信機ＰＶ１又は第２放送受信機ＰＶ２のいずれか一方により画像情報を含む放送を受信中であり、更にその受信している放送に含まれている画像情報に対応する画像をモニタＭに表示中であるとする（ステップＳ１０）。
【００５２】
次に、この状態においては、現在受信している放送に含まれており出力中である画像情報、又は当該出力中である画像情報を受信した放送受信機ＰＶ以外の他の放送受信機ＰＶにより受信された放送中に含まれている他の画像情報のいずれかをハードディスク等に記録する旨の操作が操作部１６において実行されることにより、当該操作に基づいて録画機ＲＧから上記スタンバイ情報Ｓrcが送信されたか否かが常に監視されており（ステップＳ１１）、そのスタンバイ情報Ｓrcが送信されないときは（ステップＳ１１；ＮＯ）そのままそれまで実行していた放送電波の受信並びに画像情報に対応する画像の表示を継続する。
【００５３】
一方、ステップＳ１１の判定において、スタンバイ情報Ｓrcが送信されて来たときは（ステップＳ１１；ＹＥＳ）、次に、スタンバイ情報Ｓrcが送信されて来たタイミングにおいて実行していた受信・表示処理（上記ステップＳ１０参照）の対象となっていた画像情報に対応する画像をメイン画面とし且つ録画機ＲＧにおいて録画されるべき記録情報Ｓrgに対応する画像をサブ画面とする画像に対応する上記表示情報Ｓmtが二画面処理部１４において生成されてモニタＭに出力されることにより、対応する二画面画像を当該モニタＭ上に表示すると共に、上記スタンバイ情報Ｓrcが出力されて来るまでに受信・表示されていた処理情報Ｓcgをメモリ信号Ｓmとしてメモリ１２内に一時的に格納しておく（ステップＳ１２）。
【００５４】
そして、上記二画面画像を実際に視聴した使用者が、操作部１６において当該録画処理（記録情報Ｓrgをハードディスク等に記録する録画処理）の停止を意味する図示しない停止キーを操作したか否かが確認され（ステップＳ１３）、その操作が為されたときは（ステップＳ１３；ＹＥＳ）、録画を継続する意思が使用者にないことになるから、それまでの録画機ＲＧにおける録画のスタンバイ状態を解除し（ステップＳ１４）、上記ステップＳ１０に戻る。
【００５５】
一方、操作部１６において上記停止キーが未だ操作されないときは（ステップＳ１３；ＮＯ）、二画面画像内のサブ画面として今視聴されている記録情報Ｓrgの状態でハードディスク等に録画することが了解されたものと看做し、その記録情報Ｓrgを実際に録音機ＲＧにおいてハードディスクに記録する（ステップＳ１５）。
【００５６】
そして、ステップＳ１５により録音が開始されたら、次に上記ステップＳ１２の処理においてメモリ１２内に一時的に格納されていた元の処理情報Ｓcgに対応する画像の表示を、その処理情報Ｓcgとしての画像の表示を、上記ステップＳ１２の処理により中断されたタイミングの内容から再開する（ステップＳ１６）。
【００５７】
その後、第２実施形態に係る情報記録処理自体を終了する旨の操作が操作部１６において実行されてか否かを確認し（ステップＳ１７）、当該終了する旨の操作が為されたときは（ステップＳ１７；ＹＥＳ）そのまま第２実施形態に係る情報記録処理を終了し、一方、当該終了する旨の操作が為されないときは（ステップＳ１７；ＮＯ）、再度上記ステップＳ１０の処理以降の図４に示す処理を繰り返して所望の画像情報に対応する画像の表示を継続する。
【００５８】
以上説明したように、第２実施形態の情報記録装置２００の動作によれば、受信された受信情報Ｓv1又はＳv2に基づいて記録用に生成された記録情報Ｓrgに対応する画像が実際の記録前に表示されることにより、当該記録情報Ｓrgの態様を記録前に確認することができ、その確認後に実際の記録を開始することで、使用者が所望しない態様で受信情報Ｓv1又はＳv2が記録されてしまうことを回避することができる。
【００５９】
なお、上述した第２実施形態においては、録画用の記録情報Ｓrgを第１切替部１０において生成した後に録画機ＲＧ及び第２切替部１３に出力する場合について説明したが、これ以外に、第１切替部１０からの記録情報Ｓrgは録画機ＲＧにのみ出力し、当該記録情報Ｓrgに基づいて録画機ＲＧにおいて生成される、録画状態監視（モニタ）用のモニタ画像情報を第２切替部１３に出力するように構成することもできる。そしてこの場合、第２切替部１３は、マイコン１５からの制御信号Ｓch2に基づき、上記処理情報Ｓcgに対応する画像と上記モニタ画像情報に対応する画像を二つの画面を用いてモニタＭ上に同時に表示させるべく、当該処理情報Ｓcg及びモニタ画像情報を夫々別個に二画面処理部１４へ出力することとなる。
【００６０】
また、上述してきた各実施形態においては、記録すべき情報の取得源として放送受信機を用いた場合について説明したが、これ以外に、一般に流通しつつあるいわゆるＤＶＤ（Digital Versatile Disc）プレーヤ等の再生機を上記各放送受信機の代わりとして用いることもできる。この場合、上記図２ステップＳ８及び図４ステップＳ１６の処理については、メモリ２又は１２に一時的に格納しておいた元の情報を用いるのではなく、再生機上においていわゆるトラックジャンプ動作を行わせることにより、再生中断のタイミングから再生を復帰させるように構成することもできる。
【００６１】
更にまた、図２及び図４に示すフローチャートに対応するプログラムを、フレキシブルディスク又はハードディスク等の情報記録媒体に記録しておき、或いは当該プログラムをインターネット等のネットワークを介して取得して記録しておき、これらを汎用のマイクロコンピュータ等を用いて読み出して実行することにより、当該汎用のマイクロコンピュータを実施形態に係るマイコン４又は１５として用いることも可能である。
【図面の簡単な説明】
【００６２】
【図１】第１実施形態の情報記録装置の概要構成を示すブロック図である。
【図２】第１実施形態の情報記録処理を示すフローチャートである。
【図３】第２実施形態の情報記録装置の概要構成を示すブロック図である。
【図４】第２実施形態の情報記録処理を示すフローチャートである。
【符号の説明】
【００６３】
Ｐ    放送受信機
ＰＶ１    第１放送受信機
ＰＶ２    第２放送受信機
Ｒ    録音機
ＲＧ    録画機
Ｓ、ＳＳ    切替処理部
１    マルチチャンネル処理部
３    切替部
４    マイコン
１０    第１切替部
１１    画像調整処理部
１３    第２切替部
【図１】
2005196816.tif 000003
【図２】
2005196816.tif 000004
【図３】
2005196816.tif 000005
【図４】
2005196816.tif 000006